(57)【要約】【課題】部品点数の削減、小型化を図る上で有利なレンズ鏡筒と撮像装置を提供する。【解決手段】レンズ駆動機構１０は、モータ１２、駆動ギア１４と、ギア列１６とを備えている。駆動ギア１４と検知板１８は出力軸１２０４に固定されている。モータ１２の駆動により出力軸１２０４が回転され、検知板２０が検出器２０の投光部と受光部の間を通過することにより検出器２０は検知板１８の各羽根板の移動に対応して検知信号を生成する。ギア列１６は、駆動ギア１４に噛合する第１ギア１６Ａと、鏡筒のギア部に噛合する最終ギア１６Ｈと、これら第１ギア１６Ａと最終ギア１６Ｈとの間を連結するギア群１６０１とで構成され、第１ギア１６Ａは、ホルダ２２により片持ち支持された支軸１６０２上で回転可能に配設されている。【選択図】        図１１
2005300760.tif 000002
【特許請求の範囲】
【請求項１】
ベースと、前記ベースに設けられた鏡筒とを有し、
前記鏡筒には、レンズをその光軸方向に移動可能に支持し回転駆動力が供給されることで前記レンズを光軸方向に移動させるレンズ移動機構が設けられ、
前記ベースには、前記レンズ移動機構に回転駆動力を供給するレンズ駆動機構が設けられ、
前記レンズ駆動機構は、出力軸を有するモータと、前記出力軸に設けられた駆動ギアと、前記駆動ギアに噛合し前記モータの動力を前記レンズ移動機構に供給するギア列とを有し、
さらに、前記モータの回転量を検出する検出機構が設けられたレンズ鏡筒であって、
前記検出機構は、前記出力軸に設けられ該出力軸と一体に回転する検知板と、前記検知板の回転を検出する検出器を含んで構成され、
前記ギア列を構成するギアのうち前記駆動ギアに噛合する第１ギアは前記ベース側で片持ち支持されている、
ことを特徴とするレンズ鏡筒。
【請求項２】
前記モータの出力軸の長手方向から見て、前記検知板の輪郭と前記第１ギアの輪郭は一部重複していることを特徴とする請求項１記載のレンズ鏡筒。
【請求項３】
前記モータの出力軸の長手方向から見て、前記検知板の移動軌跡と前記第１ギアの輪郭は一部重複していることを特徴とする請求項１記載のレンズ鏡筒。
【請求項４】
前記モータの出力軸の長手方向から見て、前記検知板の輪郭は、前記第１ギアの軸心と重複していることを特徴とする請求項１記載のレンズ鏡筒。
【請求項５】
前記モータの出力軸の長手方向から見て、前記検知板の移動軌跡は、前記第１ギアの軸心と重複していることを特徴とする請求項１記載のレンズ鏡筒。
【請求項６】
前記ギア列は、前記ベースに取着されたホルダの内部に収容され、前記ホルダの内部は該ホルダに取着された蓋板により閉塞されており、前記第１ギアは前記ホルダで片持ち支持されていることを特徴とする請求項１記載のレンズ鏡筒。
【請求項７】
前記ギア列は、前記ベースに取着されたホルダの内部に収容され、前記検知器は前記ホルダで支持されて該ホルダの内部に収容され、前記ホルダの内部は該ホルダに取着された蓋板により閉塞されており、前記第１ギアは前記ホルダで片持ち支持されていることを特徴とする請求項１記載のレンズ鏡筒。
【請求項８】
前記ギア列は、前記ベースに取着され合成樹脂によりモールド成型されたホルダの内部に収容され、前記ホルダの内部は該ホルダに取着された蓋板により閉塞されており、前記第１ギアは、前記ホルダで片持ち支持された支軸上に配設され、前記支軸は合成樹脂製で前記ホルダと一体にモールド成型されていることを特徴とする請求項１記載のレンズ鏡筒。
【請求項９】
前記ギア列は、前記ベースに取着され合成樹脂によりモールド成型されたホルダの内部に収容され、前記ホルダの内部は該ホルダに取着された蓋板により閉塞されており、前記第１ギアは、前記ホルダで片持ち支持された支軸上に配設され、前記支軸は合成樹脂製で前記ホルダと一体にモールド成型され、前記ギア列は、前記第１ギヤに加え、第１ギアの支軸に平行する複数のギア列用支軸と、これら複数のギア列用支軸に配設されたギア群を有し、前記複数のギア列用支軸は金属製で前記ホルダと蓋板により両持ち支持されていることを特徴とする請求項１記載のレンズ鏡筒。
【請求項１０】
レンズを有するレンズ鏡筒と、前記レンズで導かれた被写体像を撮像する撮像素子とを備え、
前記レンズ鏡筒は、ベースと、前記ベースに設けられた鏡筒とを有し、
前記鏡筒には、前記レンズをその光軸方向に移動可能に支持し回転駆動力が供給されることで前記レンズを光軸方向に移動させるレンズ移動機構が設けられ、
前記ベースには、前記レンズ移動機構に回転駆動力を供給するレンズ駆動機構が設けられ、
前記レンズ駆動機構は、出力軸を有するモータと、前記出力軸に設けられた駆動ギアと、前記駆動ギアに噛合し前記モータの動力を前記レンズ移動機構に供給するギア列とを有し、
さらに、前記モータの回転量を検出する検出機構が設けられた撮像装置であって、
前記検出機構は、前記出力軸に設けられ該出力軸と一体に回転する検知板と、前記検知板の回転を検出する検出器を含んで構成され、
前記ギア列を構成するギアのうち前記駆動ギアに噛合する第１ギアは前記ベース側で片持ち支持されている、
ことを特徴とする撮像装置。
【発明の詳細な説明】
【技術分野】
【０００１】
本発明はレンズ鏡筒および撮像装置に関する。
【背景技術】
【０００２】
デジタルスチルカメラやデジタルビデオカメラ等の撮像装置には、鏡筒内に配設されたレンズを含む撮影光学系と、該撮像光学系で結像された被写体像を撮像する撮像素子とを備えたレンズ鏡筒が設けられている。
このようなレンズ鏡筒は、光軸方向にレンズを移動可能に支持し回転駆動力が供給されることで前記レンズを光軸方向に移動させるレンズ移動機構と、前記レンズ移動機構に回転駆動力を供給するレンズ駆動機構とを有している。
レンズ駆動機構は、出力軸を有するモータと、出力軸に設けられた駆動ギアに噛合しモータの動力をレンズ移動機構に供給するギア列などを備えている。
そして、レンズ移動機構を制御するに際して、モータの回転量や回転方向が検知され、この検知は、モータの出力軸やギア列を構成する回転軸に設けられた検知板と、この検知板の回転を検出する検出器などを用いて行われており、この場合、小型化を図ろうとすると検知板とギア列との干渉が問題となる。
モータの出力軸に検知板を設ける従来構造として、モータとして、モータケースの両端からそれぞれ出力軸を突出するものを用い、一方の出力軸に駆動ギアを設け、他方の出力軸に検知板を設け、検知板とギア列の支軸との干渉を阻止する構成が提案されている（例えば特許文献１参照）。
また、ギア列を構成する回転軸に検知板を設ける従来構造として、ギア列のギアは多くの場合両持ち式で支持されていることから、駆動ギアに噛合する専用の回転検出用ギアを新たに設け、この回転検出用ギアと一体に回転する検知板を設け、検知板とギア列の支軸との干渉を阻止する構成が提案されている（例えば特許文献２参照）。
【特許文献１】特開２００２−３１８３３８号公報
【特許文献２】特開２００１−１９４５７４号公報
【発明の開示】
【発明が解決しようとする課題】
【０００３】
しかしながら、前者の構成では、モータの他方の出力軸側に検知板の占有スペースを確保しなくてはならず小型化を図る上で不利があった。また、後者の構成では、モータの回転を検出するために専用の回転検出用ギアを付加しなくてならず、部品点数の削減や小型化を図る上で不利があった。
本発明は、このような事情に鑑みなされたものであり、その目的は部品点数の削減および小型化を図る上で有利なレンズ鏡筒および撮像装置を提供することにある。
【課題を解決するための手段】
【０００４】
上述の目的を達成するため、本発明のレンズ鏡筒は、ベースと、前記ベースに設けられた鏡筒とを有し、前記鏡筒には、レンズをその光軸方向に移動可能に支持し回転駆動力が供給されることで前記レンズを光軸方向に移動させるレンズ移動機構が設けられ、前記ベースには、前記レンズ移動機構に回転駆動力を供給するレンズ駆動機構が設けられ、前記レンズ駆動機構は、出力軸を有するモータと、前記出力軸に設けられた駆動ギアと、前記駆動ギアに噛合し前記モータの動力を前記レンズ移動機構に供給するギア列とを有し、さらに、前記モータの回転量を検出する検出機構が設けられたレンズ鏡筒であって、前記検出機構は、前記出力軸に設けられ該出力軸と一体に回転する検知板と、前記検知板の回転を検出する検出器を含んで構成され、前記ギア列を構成するギアのうち前記駆動ギアに噛合する第１ギアは前記ベース側で片持ち支持されていることを特徴とする。
本発明の撮像装置は、レンズを有するレンズ鏡筒と、前記レンズで導かれた被写体像を撮像する撮像素子とを備えた撮像装置であって、前記レンズ鏡筒は、ベースと、前記ベースに設けられた鏡筒とを有し、前記鏡筒には、前記レンズをその光軸方向に移動可能に支持し回転駆動力が供給されることで前記レンズを光軸方向に移動させるレンズ移動機構が設けられ、前記ベースには、前記レンズ移動機構に回転駆動力を供給するレンズ駆動機構が設けられ、前記レンズ駆動機構は、出力軸を有するモータと、前記出力軸に設けられた駆動ギアと、前記駆動ギアに噛合し前記モータの動力を前記レンズ移動機構に供給するギア列とを有し、さらに、前記モータの回転量を検出する検出機構が設けられ、前記検出機構は、前記出力軸に設けられ該出力軸と一体に回転する検知板と、前記検知板の回転を検出する検出器を含んで構成され、前記ギア列を構成するギアのうち前記駆動ギアに噛合する第１ギアは前記ベース側で片持ち支持されていることを特徴とする。
【発明の効果】
【０００５】
本発明によれば、モータの出力軸に検知板を取り付け、出力軸の駆動ギアに噛合する第１ギアを片持ちでホルダで支持するようにしたので、駆動ギアの前方スペースを利用して検知板を配設できる。したがって、検知板を配設するにあたり検知板の占有スペースを最小限に抑えることができ小型化を図る上で有利となる。また、モータの回転を検出するために専用の回転検出用ギアを設ける必要はなく、したがって、部品点数の削減化を図る上でも有利となる。
【発明を実施するための最良の形態】
【０００６】
部品点数の削減および小型化を図るという目的を、モータの出力軸に検知板を取り付け、出力軸の駆動ギアに噛合する第１ギアを片持ちでホルダで支持することによって実現した。
【実施例１】
【０００７】
次に本発明の実施例１について図面を参照して説明する。
図１は実施例１の撮像装置の斜視図、図２は実施例１の撮像装置の構成を示すブロック図である。
図１に示すように、本実施例の撮像装置１００はデジタルスチルカメラであり、外装を構成するケース１０２を有している。
ケース１０２の右側部にはレンズ鏡筒１Ａ（図３）が組み込まれ、ケース１０２の前面右側部寄りの箇所に鏡筒１が位置している。
ケース１０２の前面上部寄りの箇所には閃光を発光するフラッシュ部１０６、光学式ファインダ１０７（図３）の対物レンズ１０８などが設けられている。
ケース１０２の上端面にはシャッタボタン１１０が設けられ、ケース１０２の後面には、前記光学式ファインダの接眼窓（不図示）、電源のオンオフ、撮影モード、再生モードの切替など種々の操作を行なうための複数の操作スイッチ１１２、撮像した映像を表示するディスプレイ１１４（図２）などが設けられている。
【０００８】
図２に示すように、撮像装置１００は、撮影光学系１０４によって結像された被写体像を撮像する鏡筒１の後端部分に配設されたＣＣＤやＣＭＯＳセンサなどで構成された撮像素子１１６、該撮像素子１１６から出力された撮像信号に基づいて画像データを生成し、メモリカードなどの記憶媒体１１８に記録する画像処理部１２０、前記画像データをディスプレイ１１４に表示させる表示処理部１２２、後述するレンズ駆動機構１０の駆動制御を行う駆動部１２４、レンズ駆動機構１０の一部を構成するモータの回転量、回転方向を検出する検出機構１７、操作スイッチ１１２やシャッタボタン１１０の操作に応じて画像処理部１２０、表示処理部１２２、駆動部１２４を制御するＣＰＵなどを含む制御部１２６などを備えている。
【０００９】
次に、レンズ鏡筒１Ａの概略構成について説明する。
図３はレンズ鏡筒１Ａの外観図、図４は鏡筒１の状態を説明する斜視図で、（ａ）が不使用時のレンズ収納状態すなわち沈胴状態を示すもの、（ｂ）が広角状態、（ｃ）が望遠状態を示すものである。図５は鏡筒１の断面図であり、（ａ）が沈胴状態、（ｂ）が広角状態、（ｃ）が望遠状態を示すものである。図６は鏡筒１の分解斜視図である。
【００１０】
図３に示すように、レンズ鏡筒１Ａは、ケース１０２に固定されるベース８と、撮影光学系１０４を収容保持する沈胴式の鏡筒１とを有している。
鏡筒１には、レンズをその光軸方向に移動可能に支持し回転駆動力が供給されることでレンズを光軸方向に移動させるレンズ移動機構が設けられ、ベース８には、レンズ移動機構に回転駆動力を供給するレンズ駆動機構１０が設けられている。
鏡筒１はケース１０２の前面から前方に突出した使用位置（広角状態、望遠状態、および広角乃至望遠の中間状態）とケース１０２の前面に収容された収容位置（沈胴状態）との間を出没するように構成されている。
【００１１】
図５に示すように、鏡筒１は光学的には３群構成である。すなわち、鏡筒１の光軸方向で被写体側を前方とし、前記光軸方向で撮像素子１１６側を後方としたとき、鏡筒１を構成する３群は、前方から後方に向かってこの順番で配設された１群、２群、３群によって構成されている。
鏡筒１は、１群と２群が所定のカムカーブに沿って光軸方向に駆動されることによってズーミングを行い、３群が光軸方向に微小に変位されることによってフォーカッシングを行う。すなわち、１群と２群の変位によって焦点距離を可変し、この焦点距離の変化によって生じた合焦位置のずれを３群の変位によって修正し適切に合焦させるように構成されている。
【００１２】
図５、図６に示すように、１群レンズ枠２は、カム環４のカム溝４ｂに嵌合される３本（複数本）のカムピン２ａと、１群を構成する複数のレンズを挿入・固定する複数のレンズ室２ｂと、収納時、沈胴状態においてレンズ前玉を保護するバリア機構部２ｃとを備えている。
２群レンズ枠３は、カム環４のカム溝４ｃに嵌合される３本（複数本）のカムピン３ａと、２群を構成する複数のレンズを挿入、固定する複数のレンズ室３ｂとを備えている。また、２群レンズ枠３はアイリス・シャッター機構を構成してもよい。
カム環４は、カム環４を固定環６の内周部で回転駆動するためのギア部４ａと、１群レンズ枠２のカムピン２ａが嵌合される３本（複数本）のカム溝４ｂと、２群レンズ枠３のカムピン３ａが嵌合される３本（複数本）のカム溝４ｃと、固定環６のカム溝６ａに嵌合される３本（複数本）のカムピン４ｄとを備えている。本実施例では、ギア部４ａにレンズ駆動機構１０の回転駆動力が供給される。
カム溝４ｂおよびカム溝４ｃは、１群および２群を所定のカーブに沿って光軸方向に移動させ、ズーミング動作を行うものである。
直進案内環５は、カム環４と一体的に固定環６の内径で光軸方向に移動する部材で、１群レンズ枠２を光軸方向にガイドする案内溝５ａと、２群レンズ枠３を光軸方向にガイドする案内溝５ｂとを備えている。
固定環６は、ベース８に固定される部材で、カム環４のカムピン４ｄが嵌合される３本（複数本）のカム溝６ａを備えている。
【００１３】
３群レンズ枠７は３群を構成するレンズ７１を挿入・固定するためのレンズ室を備えている。
可動レンズ７２は、不図示の案内機構によってベース８に対して光軸方向に移動可能に保持されることで光軸方向に案内されており、不図示の駆動機構によって光軸方向に微小に変位されるように構成されている。なお、前記案内機構および駆動機構は本発明の要旨と直接関わらないためその説明を省略する。
ベース８には、固定環６が位置決め、固定される。
ベース８は、光学式ローパスカットフィルタや赤外カットフィルタなどの光学フィルタ１１を挿入、位置決め、固定するための凹部と、鏡筒内部へのゴミなどの侵入を防止し、光学フィルタ１１を弾性付勢するためのシールゴム１２を挿入するための凹部とを備えている。
ベース８には撮像素子１１６が高精度に位置決め、固定される。
【００１４】
なお、本実施例においては、１群レンズ枠２、２群レンズ枠３、カム環４、直進案内環５、固定環６によって特許請求の範囲のレンズ移動機構が構成されている。
また、本例において、１群レンズ枠２、２群レンズ枠３、カム環４、直進案内環５、固定環６、３群レンズ枠７、ベース８は、例えばガラス繊維を含有するポリカーボネート樹脂（黒色）などの繊維強化プラスチックで成形され、強度・遮光性と量産性を備えている。
【００１５】
鏡筒１のギア部４ａに、レンズ駆動機構１０の回転駆動力が供給されることで、鏡筒１の出没動作およびズーミング動作が行われる。
この鏡筒１の動作について説明する。
沈胴状態〜広角間の動作において、カム環４はギア部４ａがレンズ駆動機構１０によって駆動力を与えられることにより駆動されて、カムピン４ｄが固定環６のカム溝６ａに沿って回転しながら光軸方向に被写体側に向けて移動する。このとき、直進案内環５はカム環４と一体的に移動する（図５中矢印Ａ参照）。
このとき、１群レンズ枠２はカムピン２ａがカム溝４ｂおよび案内溝５ａに沿って所定のカーブによって移動する（図５中矢印Ｂ参照）。このとき、２群レンズ枠３はカムピン３ａがカム溝４ｃおよび案内溝５ｂに沿って所定のカーブによって移動する（図５中矢印Ｃ参照）。以上により、１群および２群は所定の位置に移動し、光学的に広角の位置になる。
【００１６】
広角〜望遠間の動作においても、カム環４はギア部４ａがレンズ駆動機構１０によって駆動力を与えられることにより駆動されるが、この範囲においてカム溝６ａはカム環４が光軸方向に駆動しないように形成されており、直進案内環５も光軸方向に移動しない（図５中矢印Ｄ参照）。
このとき、１群レンズ枠２はカムピン２ａがカム溝４ｂおよび案内溝５ａに沿って所定のカーブによって移動する（図５中矢印Ｅ参照）。このとき、２群レンズ枠３はカムピン３ａがカム溝４ｃおよび案内溝５ｂに沿って所定のカーブによって移動する（図３中矢印Ｆ参照）。以上により、１群および２群は所定のカーブに沿って移動し、光学的に広角〜望遠間を移動することによってズーミング動作を行う。
【００１７】
望遠→広角→沈胴状態については、レンズ駆動機構１０を上記動作と反対向きに駆動することでカム環４を反対向きに回転させることによって行う。上記のレンズ駆動機構１０によるカム環４の駆動によって鏡筒１は沈胴動作およびズーミング動作を行うが、これとは別に前記駆動機構によって可動レンズ７２が光軸方向に微小に変位することによりフォーカッシング動作を行う（図５中矢印Ｇ参照）。
【００１８】
次に、レンズ駆動機構１０の構成について詳細に説明する。
レンズ駆動機構１０は、ギア部４ａに回転駆動力を供給するものであり、レンズ駆動機構１０は、モータ１２、駆動ギア１４と、ギア列１６とを備えている。
検出機構１７はモータ１２の回転量、回転方向を検出するもので、検知板１８、検出器２０を含んで構成されている。
図３、図７に示すように、ベース８の右側部にホルダ２２が取着され、このホルダ２２にモータ１２、駆動ギア１４、ギア列１６、検知板１８、検出器２０が収容され、蓋板２４により閉塞されている。
モータ１２はホルダ２２２０に保持されたケース１２０２と、ケース１２０２の一端から突出する出力軸１２０４を有している。本実施例では、出力軸１２０４は鏡筒１の光軸と平行する方向、すなわち撮像装置１００の前後方向に向けて配設されている。
駆動ギア１４は、出力軸１２０４の長手方向の中間部に固定され、検知板１８は出力軸１２０４の先端（前端）に固定されている。
検知板１８は本実施例では周方向に間隔をおいた３枚の羽根板により構成されている。
検出器２０は、検知光を出射する投光部と前記検知光を受光する受光部とからなり、これら投光部と受光部との間に検知板１８が位置するように配設されている。本実施例では検出器２０は２つ設けられ、それぞれホルダ２２に取着されている。モータ１２の駆動により出力軸１２０４が回転され、検知板２０が検出器２０の投光部と受光部の間を通過することにより検出器２０は検知板１８の各羽根板の移動に対応して検知信号を生成する。制御部１２６は前記検知信号に基づいてモータ１２の回転量、回転方向を検出しその検出結果に基づいて駆動部１２４を介してモータ１２の回転制御を行う。
【００１９】
前記ギア列１６は、モータ１２の回転駆動力をカム環４のギア部４ａに伝達するもので、駆動ギア１４に噛合する第１ギア１６Ａと、ギア部４ａに噛合する最終ギア１６Ｈと、これら第１ギア１６Ａと最終ギア１６Ｈとの間を連結するギア群１６０１とで構成されている。
より詳細に説明すると、第１ギア１６Ａは、ホルダ２２により片持ち支持された支軸１６０２上で回転可能に配設されている。
本実施例では、図８乃至図１１に示すように、第１ギア１６Ａの前方に検知板１８が位置しており、検知板１８の外周部は、支軸１６０２の前方に臨んでいる。言い換えると、出力軸１２０４の長手方向から見て検知板１８の輪郭と第１ギア１６Ａの輪郭は一部重複しており、また、検知板１８の輪郭は第１ギア１６Ａの軸芯と重複している。より詳細に説明すると、第１ギア１６Ａの前方に検知板１８の移動軌跡が位置しており、検知板１８の移動軌跡の外周部は、支軸１６０２の前方に臨んでいる。言い換えると、出力軸１２０４の長手方向から見て検知板１８の移動軌跡は第１ギア１６Ａの輪郭と一部重複しており、また、検知板１８の移動軌跡は第１ギア１６Ａの軸芯と重複している。
【００２０】
最終ギア１６Ｈは、ホルダ２２と蓋板２４により両持ち支持された支軸１６０８上で回転可能に支持されている。
第１ギア１６Ａの支軸１６０２と最終ギア１６Ｈの支軸１６０８との間に、２本の支軸１６０４、１６０６が配設され、最終ギア１６Ｈの支軸１６０８と２本の支軸１６０４，１６０６との合計３本の支軸１６０８，１６０４，１６０６がそれぞれホルダ２２と蓋板２４により両持ち支持され、前記ギア群１６０１はこれら２本の支軸１６０４，１６０６上に配設されている。
より詳細に説明すると、２本の支軸１６０４，１６０６のうち、第１ギア１６Ａの支軸寄りに位置する支軸１６０４には、第２ギア１６Ｂ、第３ギア１６Ｃ、第４ギア１６Ｄが回転可能に配設されている。
また、２本の支軸１６０４，１６０６のうち、最終ギア１６Ｈの支軸１６０８寄りに位置する支軸１６０６には、第５ギア１６Ｅ、第６ギア１６Ｆ、第７ギア１６Ｇが回転可能に配設されている。
そして、第１ギア１６Ａに第２ギア１６Ｂの大径歯部が噛合し、第２ギア１６Ｂの小径歯部に第５ギア１６Ｅの大径歯部が噛合し、第５ギア１６Ｅの小径歯部に第３ギア１６Ｃの大径歯部が噛合し、第３ギア１６Ｃの小径歯部に第６ギア１６Ｆの大径歯部が噛合し、第６ギア１６Ｆの小径歯部に第４ギア１６Ｄの大径歯部が噛合し、第４ギア１６Ｄの小径歯部に第７ギア１６Ｇの大径歯部が噛合し、第７ギア１６Ｇの小径歯部に最終ギア１６Ｈが噛合しており、モータ１２の回転駆動力は第１ギア１６Ａからこれら第１乃至第７ギア１６Ｇ、最終ギア１６Ｈを経てギア部４ａに伝達され、本実施例ではモータ１２の回転速度が７段で減速されている。
なお、ギア列１６におけるギア比は、沈胴→広角→望遠および望遠→広角→沈胴の範囲において十分な駆動力を得られるように選定される。
【００２１】
なお、駆動ギア１４と第１ギア１６Ａとの間で生じる動作時の雑音を低減する上で、第１ギア１６Ａの転位係数はマイナスの値であって−０．３以下とすることが好ましく、より好ましくは−０．０５以下−０．２以上が好ましく、さらに好ましくは−０．０８以下−０．１以上が好ましい。
また、第１ギア１６Ａの転位係数をマイナスの値にすると強度が低下するが、第１ギア１６Ａは駆動ギア１４に噛合する初段のギアであるため第１ギア１６Ａに掛かる負荷が少ないため問題は生じない。
【００２２】
本実施例では、ホルダ２２は合成樹脂製でモールド成型されている。
また、モータ１２の回転駆動時、第１ギア１６Ａの支軸１６０２に作用する負荷は小さく、そのため、第１ギア１６Ａの支軸１６０２も合成樹脂製でモールド成型されている。
また、モータ１２の回転時、３本の支軸１６０８，１６０４，１６０６に作用する負荷は支軸１６０２に比べて大きく、そのため、３本の支軸１６０８，１６０４，１６０６は金属製でホルダ２２と蓋板２４により両持ち支持されている。
【００２３】
本実施例によれば、モータ１２の出力軸１２０４に検知板１８を取り付け、出力軸１２０４の駆動ギア１４に噛合する第１ギア１６Ａを片持ち式にホルダ２２で支持するようにしたので、駆動ギア１４の前方スペースを利用して検知板１８を配設でき、従来構造のように駆動ギア１４と反対側に位置するモータ１２のケースの箇所に検知板１８配設用の専用スペースを確保する必要はなく、検知板１８を配設するにあたり検知板１８の占有スペースを最小限に抑えることができ小型化を図る上で有利となる。
また、従来構造のようにモータ１２の回転を検出するために専用の回転検出用ギアを設ける必要はなく、したがって、部品点数の削減化を図る上でも有利となる。
また、検知板１８を、出力軸１２０４の長手方向から見て、検知板１８の輪郭と第１ギア１６Ａとが一部重複するように配設すると、言い換えると、検知板１８の移動軌跡の輪郭と第１ギア１６Ａの輪郭とが一部重複するように配設すると、検知板１８を配設するにあたり検知板１８の占有スペースを最小限に抑える上でより一層有利となり、小型化を図る上でより一層有利となる。
さらに、実施例のように、出力軸１２０４の長手方向から見て、検知板１８の輪郭と第１ギア１６Ａの軸心とを重複するように配設すると、言い換えると、検知板１８の移動軌跡を第１ギア１６Ａの軸心と重複するように配設すると、検知板１８の占有スペースを最小限に抑える上でより一層有利となり、小型化を図る上でより一層有利となる。
また、実施例では、第１ギア１６Ａにおいて、大径歯部をホルダ２２側に位置させ小径歯部を蓋板２４側に位置させ、かつ、第２ギア１６Ｂにおいて、小径歯部をホルダ２２側に位置させ大径歯部を蓋板２４側に位置させ、第１ギア１６Ａの大径歯部を第２ギア１６Ｂの小径歯部の径方向外側で大径歯部に臨ませて配置したので、言い換えると、支軸の長手方向から見て、第１ギア１６Ａの大径歯部の輪郭と第２ギア１６Ｂの大径歯部の輪郭を一部重複して配設したので、支軸１６０２、１６０４方向のギア列１６のコンパクト化が図られている。
【００２４】
なお、本実施例では、１群レンズ枠２、２群レンズ枠３、カム環４、直進案内環５、固定環６によってレンズ移動機構が構成されている場合について説明したが、レンズ移動機構は実施例の構成に限定されず、従来公知の様々な機構が採用可能である。
また、本実施例では、撮像装置としてデジタルスチルカメラを用いて説明したが、本発明は、ビデオカメラ、その他種々の撮像装置に適用可能である。
【図面の簡単な説明】
【００２５】
【図１】実施例１の撮像装置の斜視図である。
【図２】実施例１の撮像装置の構成を示すブロック図である。
【図３】レンズ鏡筒１Ａの外観図である。
【図４】鏡筒１の状態を説明する斜視図である。
【図５】鏡筒１の断面図である。
【図６】鏡筒１の分解斜視図である。
【図７】レンズ駆動機構の斜視図である。
【図８】レンズ駆動機構から蓋板を取り外した状態を示す斜視図である。
【図９】レンズ駆動機構から蓋板を取り外した状態を示す斜視図である。
【図１０】レンズ駆動機構から蓋板とホルダを取り外した状態を示す斜視図である。
【図１１】レンズ駆動機構の構成を示す説明図である。
【符号の説明】
【００２６】
１００……撮像装置、１……鏡筒、１Ａ……レンズ鏡筒、８……ベース、１０……レンズ駆動機構、１２……モータ、１２０４……出力軸、１４……駆動ギア、１６……ギア列、１６Ａ……第１ギア、１７……検出機構、１８……検知板、２０……検知器。
【図１】
2005300760.tif 000003
【図２】
2005300760.tif 000004
【図３】
2005300760.tif 000005
【図４】
2005300760.tif 000006
【図５】
2005300760.tif 000007
【図６】
2005300760.tif 000008
【図７】
2005300760.tif 000009
【図８】
2005300760.tif 000010
【図９】
2005300760.tif 000011
【図１０】
2005300760.tif 000012
【図１１】
2005300760.tif 000013